(57)【要約】【課題】ガスタービンエンジンのデバイスにワイヤを接続するコネクタ組立体を提供すること。【解決手段】ガスタービンエンジンのデバイスにワイヤを接続するためのコネクタ組立体を製造する方法が提供される。本方法は、終端部を有するワイヤを提供するステップと、第１の近位端、第１の遠位端、及び第１の近位端から第１の遠位端に延びる第１の通路を有する第１のシェルを提供するステップと、を含む。本方法は更に、ワイヤが第１の近位端を通って第１の通路に延びるように第１のシェルをワイヤに結合し、第１のシェルが終端部に対してワイヤに沿って変位可能であるようにするステップを含む。【選択図】      図１
2013140794.tif 000002
【特許請求の範囲】
【請求項１】
ガスタービンエンジンのデバイスにワイヤを接続するためのコネクタ組立体を製造する方法であって、
終端部を有するワイヤを提供するステップと、
第１の近位端、第１の遠位端、及び前記第１の近位端から前記第１の遠位端に延びる第１の通路を有する第１のシェルを提供するステップと、
前記ワイヤが前記第１の近位端を通って前記第１の通路に延びるように前記第１のシェルを前記ワイヤに結合し、前記第１のシェルが前記終端部に対して前記ワイヤに沿って変位可能であるようにするステップと、
を含む、方法。
【請求項２】
第１のグロメット構造体を前記ワイヤに結合し、前記第１のグロメット構造体が前記第１の通路内に配置される第１の位置から、前記第１のグロメット構造体が前記第１の通路の外に露出される第２の位置まで前記第１のシェルが前記ワイヤに沿って変位可能になるようにするステップを更に含む、請求項１に記載の方法。
【請求項３】
前記第１のグロメット構造体を前記ワイヤに結合し、前記第１のグロメット構造体が前記第１のシェルに対して前記ワイヤに沿って変位可能であるようにするステップを更に含む、請求項２に記載の方法。
【請求項４】
前記第１のシェル及び前記デバイスに結合されるように構成され、第２の近位端と、第２の遠位端と、前記第２の近位端から前記第２の遠位端まで延びる第２の通路とを有する第２のシェルを提供するステップと、
前記ワイヤの終端部を受けるように構成された誘電構造体を提供するステップと、
前記第２のシェルの第２の通路内に前記誘電構造体を固定して結合し、前記終端部が前記第２のシェルの第２の遠位端を通って前記誘電構造体内に挿入可能になるようにするステップと、
を更に含む、請求項１に記載の方法。
【請求項５】
前記デバイスがコンタクトを有し、前記方法が更に、
前記誘電構造体を前記デバイスのコンタクトを受けるように構成させるステップと、
前記誘電構造体を前記第２のシェルの第２の通路内に固定して結合し、前記コンタクトが、前記第２のシェルの第２の近位端を通って前記誘電構造体内に挿入可能にし、前記終端部を前記誘電構造体内で前記コンタクトに結合するようにするステップと、
を含む、請求項４に記載の方法。
【請求項６】
第２のグロメット構造体を前記第２のシェル内に固定して結合し、前記ワイヤの終端部が前記誘電構造体内に挿入される前に前記第２のグロメット構造体が前記ワイヤの終端部を受けるように構成されるようにするステップを更に含む、請求項４に記載の方法。
【請求項７】
ガスタービンエンジンのデバイスにワイヤの終端部を接続するためのコネクタ組立体であって、
前記ワイヤに結合されるよう構成された第１のグロメット構造体と、
第１の近位端、第１の遠位端、及び前記第１の近位端から前記第１の遠位端まで延びる第１の通路を含む第１のシェルと、
を備え、前記第１のシェルが、前記ワイヤに結合されて前記ワイヤが前記第１の近位端を通って前記第１の通路内に延びるように構成され、前記第１のシェルが、前記第１のグロメット構造体が前記第１の通路内に配置された第１の位置から、前記第１のグロメット構造体が前記第１の通路の外に露出される第２の位置まで前記終端部及び前記第１のグロメット構造体に対して前記ワイヤに沿って変位可能であるように構成されている、コネクタ組立体。
【請求項８】
前記第１のグロメット構造体が、前記第１のシェルに対して前記ワイヤに沿って変位可能であるように構成される、請求項７に記載のコネクタ組立体。
【請求項９】
前記第１のシェル及び前記デバイスに結合されるように構成され、且つ第２の近位端、第２の遠位端、及び前記第２の近位端から前記第２の遠位端まで延びる第２の通路を含む第２のシェルと、
前記第２のシェルの第２の通路内に固定して結合され、且つ前記第２のシェルの第２の遠位端を通って前記ワイヤの終端部を受けるよう構成された誘電構造体と、
を備える、請求項７に記載のコネクタ組立体。
【請求項１０】
前記デバイスがコンタクトを有し、前記誘電構造体が更に、前記第２のシェルの第２の近位端を通って前記デバイスのコンタクトを受け、前記終端部を前記誘電構造体内で前記コンタクトに結合するように構成されている、請求項９に記載のコネクタ組立体。
【請求項１１】
前記第２のシェル内に固定して結合された第２のグロメット構造体を更に備え、前記第２のグロメット構造体が、前記ワイヤの終端部が前記誘電構造体内に挿入される前に前記ワイヤの終端部を受けるように構成されるようにする、請求項９に記載のコネクタ組立体。
【請求項１２】
ガスタービンエンジンであって、
デバイスと、
終端部を含むワイヤと、
前記終端部を前記デバイスに動作可能に結合するコネクタ組立体と、
を備え、前記コネクタ組立体が、第１の近位端、第１の遠位端、及び前記第１の近位端から前記第１の遠位端に延びる第１の通路を有する第１のシェルを含み、前記第１のシェルが、前記第１の近位端を通って前記第１の通路内に前記ワイヤが延びるよう該ワイヤに結合され、前記第１のシェルが前記終端部に対して前記ワイヤに沿って変位可能である、ガスタービンエンジン。
【請求項１３】
前記コネクタ組立体が更に、前記第１のグロメット構造体が前記第１の通路内に配置された第１の位置から、前記第１のグロメット構造体が前記第１の通路の外に露出される第２の位置まで前記第１のシェルが前記ワイヤに沿って変位可能であるように前記ワイヤに結合された第１のグロメット構造体を更に含む、請求項１２に記載のガスタービンエンジン。
【請求項１４】
前記第１のグロメット構造体が、前記第１のシェルに対して前記ワイヤに沿って変位可能である、請求項１３に記載のガスタービンエンジン。
【請求項１５】
前記コネクタ組立体が更に、
前記デバイス及び前記第１のシェルに結合され、第２の近位端、第２の遠位端、及び前記第２の近位端から前記第２の遠位端まで延びる第２の通路を含む第２のシェルと、
前記第２のシェルの第２の通路内に固定して結合され且つ前記第２のシェルの第２の遠位端を通って前記ワイヤの終端部を受ける誘電構造体と、
を含む、請求項１２に記載のガスタービンエンジン。
【請求項１６】
前記デバイスがコンタクトを含み、前記誘電構造体が、前記第２のシェルの第２の近位端を通って前記デバイスのコンタクトを受け、前記終端部を前記誘電構造体内で前記コンタクトに結合するようになる、請求項１５に記載のガスタービンエンジン。
【請求項１７】
前記終端部が前記コンタクトから取り外し可能である、請求項１６に記載のガスタービンエンジン。
【請求項１８】
前記コネクタ組立体が更に、前記第２のシェル内に固定して結合された第２のグロメット構造体を更に含み、該第２のグロメット構造体が、前記ワイヤの終端部が前記誘電構造体内に挿入される前に前記ワイヤの終端部を受けるようにする、請求項１５に記載のガスタービンエンジン。
【請求項１９】
前記第２のシェル及び前記第１のシェルが共に螺着結合される、請求項１５に記載のガスタービンエンジン。
【請求項２０】
前記第１のシェルが、前記第１の遠位端にて第１の歯状部を含み、前記第２のシェルが、前記第２の遠位端にて第２の歯状部を含み、前記第１のシェルが前記第２のシェルに結合されたときに前記第１の歯状部及び前記第２の歯状部が共に嵌合される、請求項１９に記載のガスタービンエンジン。
【発明の詳細な説明】
【技術分野】
【０００１】
本開示の技術分野は、全体的にコネクタ組立体に関し、より詳細には、ワイヤをデバイスに接続するコネクタ組立体に関する。
【背景技術】
【０００２】
多くの公知のシステム（例えば、自動車、船舶、航空機、宇宙船、その他）は、複数のデバイス（例えば、モータ、ポンプ、及びセンサなどの電気機械デバイス）を利用する。これら公知のシステムの少なくとも一部は、ハーネスを利用して、デバイスとワイヤとの間の干渉を最小限にしてデバイスに電力を提供するか又はデバイスと通信することを可能にする系統的な方式でシステムにわたってワイヤ束を配線している。製造、設置、及びシステムの作動に伴うコストを低減するためにワイヤとデバイスとの間の干渉を改善することが有用となる。
【先行技術文献】
【特許文献】
【０００３】
【特許文献１】米国特許第７，６９５，３３１号明細書
【発明の概要】
【０００４】
１つの態様において、ガスタービンエンジンのデバイスにワイヤを接続するためのコネクタ組立体を製造する方法が提供される。本方法は、終端部を有するワイヤを提供するステップと、第１の近位端、第１の遠位端、及び第１の近位端から第１の遠位端に延びる第１の通路を有する第１のシェルを提供するステップと、を含む。本方法は更に、ワイヤが第１の近位端を通って第１の通路に延びるように第１のシェルをワイヤに結合し、第１のシェルが終端部に対してワイヤに沿って変位可能であるようにするステップを含む。
【０００５】
別の態様において、ガスタービンエンジンのデバイスにワイヤを接続するためのコネクタ組立体が提供される。コネクタ組立体は、ワイヤに結合されるよう構成された第１のグロメット構造体と、第１の近位端、第１の遠位端、及び第１の近位端から第１の遠位端まで延びる第１の通路を有する第１のシェルと、を含む。第１のシェルは、ワイヤに結合されてワイヤが第１の近位端を通って第１の通路内に延びるように構成される。第１のシェルはまた、第１のグロメット構造体が第１の通路内に配置された第１の位置から、第１のグロメット構造体が第１の通路の外に露出される第２の位置まで終端部及び第１のグロメット構造体に対してワイヤに沿って変位可能であるように構成されている。
【０００６】
別の態様において、ガスタービンエンジンが提供される。ガスタービンエンジンは、デバイスと、終端部を含むワイヤと、終端部をデバイスに動作可能に結合するコネクタ組立体と、を含む。コネクタ組立体は、第１の近位端、第１の遠位端、及び第１の近位端から第１の遠位端に延びる第１の通路を有する第１のシェルを含む。第１のシェルは、第１の近位端を通って第１の通路内にワイヤが延びるよう該ワイヤに結合され、第１のシェルが終端部に対してワイヤに沿って変位可能である。
【図面の簡単な説明】
【０００７】
【図１】ガスタービンエンジンの概略図。
【図２】図１に示すガスタービンエンジンの電気又は通信システムの概略図。
【図３】線３−３に沿った図２に示すシステムの概略断面図。
【図４】コネクタ組立体を介してワイヤに結合されたデバイスを示す、図２（部分４で囲まれた）に示したシステムの一部の斜視図。
【図５】図４に示すコネクタ組立体の側面図。
【図６】図５の線６−６に沿った、図４に示すコネクタ組立体の断面図。
【図７】図４に示すコネクタ組立体の組み立て状態の部分斜視図。
【図８】図４に示すコネクタ組立体の第１の分解状態の部分斜視図。
【図９】図４に示すコネクタ組立体の第２の分解状態の部分斜視図。
【発明を実施するための形態】
【０００８】
以下の詳細な説明は、限定ではなく例証として、コネクタ組立体及びその製造方法を記載している。本明細書は、コネクタ組立体を当業者が実施し利用することを可能にするものであり、コネクタ組立体に関して現時点で最良の形態であると考えられるものを含む幾つかの実施形態、改良、変更、変形、及び使用法について記載している。コネクタ組立体は、好ましい実施形態、すなわち、ガスタービンエンジン用の電気ハーネスに適用されるものとして記載される。しかしながら、コネクタ組立体及びその製造方法は、広範なシステムにおける一般的応用、並びに様々な他の商用、産業、及び民生用途があることは企図される。
【０００９】
図１は、ファンシステム１０２、圧縮機システム１０４、燃焼システム１０６、高圧タービンシステム１０８、及び低圧タービンシステム１１０を含む、例示的なガスタービンエンジン１００の概略図である。作動中、周囲空気は、ファンシステム１０２を通って圧縮機システム１０４に配向され、ここで周囲空気が加圧されて燃焼システム１０６に配向される。燃焼システム１０６において、加圧空気が燃料と混合され、点火されて燃焼ガスを生成し、該燃焼ガスは、高圧タービンシステム１０８及び低圧タービンシステム１１０を通って配向される。次いで、燃焼ガスは、排出システム１１２を介してガスタービンエンジン１００から排出される。他の実施形態において、ガスタービンエンジン１００は、あらゆる好適な方法で構成された、あらゆる好適な数のファンシステム、圧縮機システム、燃焼システム、及び／又はタービンシステムを含むことができる。
【００１０】
図２は、ガスタービンエンジン１００の電気又は通信システム２００の概略図であり、図３は、線３−３に沿ったシステム２００の概略断面図である。例示的な実施形態において、システム２００は、ハーネス２０２と、ハーネス２０２の端部２０６に結合された複数のデバイス２０４（例えば、モータ、ポンプ、センサ、その他などの電気デバイス）と、ハーネス２０２に沿った端部２０６間の中間位置に結合される複数の取付デバイス２０８とを含む。システム２００はまた、ハーネス２０２を介してデバイス２０４に電力を提供し又はデバイス２０４と通信するための電力又は通信源２０９（例えば、発電機又は制御ユニット）を含む。ハーネス２０２は、少なくとも１つのワイヤ２１０を含み、ワイヤ２１０は、摩擦及び／又は電磁干渉（ＥＭＩ）からワイヤ２１０を保護する被覆部２１２（例えば、編み組材料の層）内に配置することができる。ハーネス２０２は、主セグメント２１４と、該主セグメント２１４から延びてワイヤ２１０をデバイス２０４に容易に通すことを可能にする複数のブレイクアウトセグメント２１６とを有する。
【００１１】
図４は、コネクタ組立体３００を介してワイヤ２１０に結合された１つのデバイス２０４を示す（図２の部分４で囲まれた）システム２００の一部の斜視図である。図５は、コネクタ組立体３００の側面図であり、図６は、図５の線６−６に沿ったコネクタ組立体３００の断面図である。例示的な実施形態において、コネクタ組立体３００は、第１のシェル３０２、第２のシェル３０４、及び第１及び第２のシェル３０２、３０４内に収容されたワイヤ接続部３０６を含む。
【００１２】
例示的な実施形態において、第１のシェル３０２は、ほぼ円筒形の本体３０８と、環状結合セグメント３１０とを含む。本体３０８は、近位端３１２と、遠位端３１４と、半径方向内側表面３１６と、半径方向外側表面３１８とを有する。遠位端３１４は、複数の歯状部３２０と、近位端３１２から遠位端３１４に延びて通路３２２を定める半径方向内側表面３１６と、を有する。通路３２２は、近位端３１４付近の近位領域３２４と、遠位端３１４付近の遠位領域３２６とを有し、近位領域３２４は遠位領域３２６よりも狭く、近位領域３２４と遠位領域３２６との間にリップ３２８が定められるようになる。結合セグメント３１０は、本体３０８と一体的に形成されて該本体３０８から遠位方向に延びており、ネジ付き内側表面３３０を含む。１つの実施形態において、結合セグメント３１０及び本体３０８は、金属材料（例えば、ステンレス鋼材料）から共に一体的形成される。他の実施形態では、第１のシェル３０２は、本明細書で記載されるようにコネクタ組立体３００が機能できるあらゆる好適な構成を有することができる。
【００１３】
例示的な実施形態において、第２のシェル３０４は、ほぼ円筒形であり、近位端３３２と、遠位端３３４と、半径方向内側表面３３６と、半径方向外側表面３３８とを有する。半径方向内側表面３３６は、近位端３３２から遠位端３３４まで延びて通路３４０を定める。第２のシェル３０４は、金属材料（例えば、ステンレス鋼材料）から製造され、近位端３３２にてデバイス２０４のハウジング２０５に結合（例えば、溶接）されるように構成されている。外側表面３３８は、遠位端３３４付近でネジ止めされ、遠位端３３４は、第１のシェル３０２の歯状部３２０と嵌合（例えば、噛み合う）ように構成された複数の歯状部３４２を有する。他の実施形態では、第２のシェル３０４は、あらゆる好適な形状を有することができ、あらゆる好適な材料から製造することができ、また、あらゆる好適な方式でデバイス２０４のハウジング２０５に結合することができる（例えば、一部の実施形態では、第２のシェル３０４は、プラスチック材料から製造でき、ハウジング２０５と一体的に形成することができる）。加えて、第２のシェル３０４は、近位端３３２及び／又は遠位端３３４付近で、本明細書で説明される方式で第２のシェル３０４を第１のシェル３０２及びデバイス２０４に結合可能にするあらゆる好適な構成を有することができる。本明細書で使用されるように、向きに関する第１のシェル３０２及び／又は第２のシェル３０４に対する表現（例えば、第１のシェル３０２又は第２のシェル３０４が「近位端」又は「遠位端」を有するなどの表現）は、第１のシェル３０２及び第２のシェル３０４が、本明細書で説明されるようにコネクタ組立体３００が少なくとも部分的に組み立てられたときのような向きになるよう構成されることを意味するものとし、このような向きの表現は、本開示の技術的範囲を実際に組み立てられるこれらのコネクタ組立体のみに限定することを意図したものではない。むしろ、本開示は、組み立てられるか否かに関係なく、一般的にコネクタ組立体に適用されることを意図したものである。
【００１４】
ワイヤ接続部３０６は、少なくとも１つのワイヤ２１０、少なくとも１つのコンタクト３４４（例えば、ピン）、及び支持組立体３４６を含む。例示的な実施形態において、ワイヤ接続部３０６は、４つのコンタクト３４４及び４つの対応するワイヤ２１０を含む。他の実施形態では、ワイヤ接続部３０６は、あらゆる好適な数のコンタクト３４４及びワイヤ２１０を含むことができる。例示的な実施形態において、コンタクト３４４は、デバイス２０４に動作可能に結合され（例えば、デバイス２０４に電力を提供するか、又はデバイス２０４と通信するため）、第２のシェル３０４の近位端３３２を介して通路３４０内に延びる。各ワイヤ２１０は、リテーナリング２１３及びソケットコンタクト２１５を有する終端部２１１を含み、ワイヤ２１０は、第１のシェル３０２の近位端３１２を介して通路３２２内に延びる。他の実施形態では、コンタクト３４４及びワイヤ２１０は、コネクタ組立体３００が本明細書で説明されるように機能することを可能にするあらゆる好適な方式で構成することができる。
【００１５】
例示的な実施形態において、支持組立体３４６は、セラミック構造体３４８、堅固な誘電構造体３５０、堅固な第１のグロメット構造体３５２、及び堅固な第２のグロメット構造体３５４（例えば、シールグロメット構造体体）を含む。セラミック構造体３４８、誘電構造体３５０、及び第２のグロメット構造体３５４は、第２のシェル３０４内に（例えば、接着剤で）固定して結合され、セラミック構造体３４８が近位端３３２に隣接し、第２のグロメット構造体３５４が遠位端３３４に隣接し、誘電構造体３５０がセラミック構造体３４８と第２のグロメット構造体３５４との間に配置されるようになる。少なくとも１つの貫通ポート３５６が、セラミック構造体３４８、誘電構造体３５０、及び第２のグロメット構造体３５４を貫通して定められ、遠位端３３４から近位端３３２まで全体的に延びる。例示的な実施形態において、４つのワイヤ２１０及び４つのコンタクト３４４に対応するよう４つの貫通ポート３５６が設けられる。他の実施形態では、あらゆる好適な数の貫通ポート３５６を設けることができる。例示的な実施形態において、保持機構（例えば、テーパー付きリテーナスリーブ３５８）は、誘電構造体３５０内に各貫通ポート３５６の一部を一列に並べる。或いは、支持組立体３４６は、コネクタ組立体３００が本明細書で説明されるように機能することを可能にするあらゆる好適な方式で配列された、あらゆる好適な数のセラミック構造体、誘電構造体、及び／又は第２のグロメット構造体で構成することができる。
【００１６】
例示的な実施形態において、第１のグロメット構造体３５２は、該第１のグロメット構造体３５２に定められた複数の貫通ポート３６０を介してワイヤ２１０に結合され且つ該ワイヤ２１０に沿って変位可能である。第１のシェル３０２もまたワイヤ２１０に沿って変位可能である。このようにして、第１のグロメット構造体３５２及び第１のシェル３０２は、ワイヤ２１０に沿って互いに対して変位可能である。第１のグロメット構造体３５２は、通路３２２の遠位領域３２６内に配置されるよう構成され、通路３２２の近位領域３２４よりも大きいようなサイズにされていることに起因して、第１のグロメット構造体３５２がリップ３２８と接触し且つ終端部２１１に向かう第１のシェル３０２の変位に対する限界停止部を提供するので、第１のグロメット構造体３５２により、第１のシェル３０２がワイヤ２１０から外れるのを防ぐことが可能となる。他の実施形態では、ワイヤ２１０、第１のシェル３０２、及び第１のグロメット構造体３５２は、ネクタ組立体３００が本明細書で説明されるように機能することを可能にするあらゆる好適な方式で構成することができる。
【００１７】
図７、８、及び９は、それぞれ、コネクタ組立体３００の組み立て状態、第１の分解状態、及び第２の分解状態の部分斜視図である。図７を参照すると、コネクタ組立体３００の組み立て状態において、第２のシェル３０４は、デバイス２０４のハウジング２０５に結合（例えば、溶接）され、コンタクト３４４が第２のシェル３０４の近位端３３２を介して通路３４０に延びるようになる。セラミック構造体３４８誘電構造体３５０、及び第２のグロメット構造体３５４は、通路３４０内に（例えば、接着剤により）固定して保持され、コンタクト３４４が貫通ポート３５６を介して誘電構造体３５０に延びるようになる。加えて、第１のシェル３０２は、第２のシェル３０４に結合され、遠位端３１４の歯状部３２０が遠位端３３４の歯状部３４２と嵌合し、また、結合セグメント３１０のネジ付き内側表面３３０が第２のシェル３０４のネジ付き外側表面３３８と接合するようになる。ワイヤ２１０は、第１のグロメット構造体３５２の貫通ポート３６０を介して第１のシェル３０２の通路３２２を通って（例えば、近位端３１２内で且つ遠位端３１４の外に）延びる。ワイヤ２１０はまた、遠位端３３４を介して第２のシェル３０４の通路３４０内に延び、ワイヤが第２のグロメット構造体３５４を通って貫通ポート３５６を介して誘電構造体３５０内に延びるようになる。
【００１８】
このようにして、各ワイヤ２１０のソケットコンタクト２１５は、１つの関連するコンタクト３４４を受けて、ワイヤ２１０をデバイス２０４に結合（例えば、電気的に結合又は通信可能に結合）するようにする。ソケットコンタクト２１５とコンタクト３４４との間の結合を維持するために、終端部２１１の保持リング２１３が対応するリテーナスリーブ３５８内に挿入され、該リテーナスリーブ３５８のテーパー形状により、ソケットコンタクト２１５のコンタクト３４４からの結合解除が抑制される。第１のグロメット構造体３５２及び第２のグロメット構造体３５４が実質的に整列される（すなわち、貫通ポート３６０、３５６が実質的に整列される）ので、ワイヤ２１０は、第１のグロメット構造体３５２から第２のグロメット構造体３５４に延びるときに実質的に直線状の平行な向きで維持され、これによりワイヤ２１０を互いに対して且つシェル３０２、３０４に対して間隔を置いて配置され、干渉及び摩擦が最小限になる。
【００１９】
ここで図８及び９を参照すると、コネクタ組立体３００を分解する（すなわち、ワイヤ２１０をデバイス２０４から結合解除する）ために、第１のシェル３０２の結合セグメント３１０は、第２のシェル３０４からネジ解除され、第１のシェル３０２は、第１のグロメット構造体３５２が通路３２２内に配置された第１の位置（図７）から、第１のグロメット構造体３５２が通路３２２の外に露出される第２の位置（図８）までワイヤ２１０に沿って被覆部２１２に向けて（一部の実施形態では、被覆部２１２を覆って）変位される。第１のグロメット構造体３５２が通路３２２の外に露出されると、第１のグロメット構造体３５２は、ワイヤ２１０に沿って被覆部２１２に向けて変位され、第１のグロメット構造体３５２と第２のグロメット構造体３５４との間に十分な間隔をもたらし、第２のシェル３０４からワイヤ２１０を除去することができるようになる（図９）。第２のシェル３０４からワイヤ２１０を除去するために、リテーナリング２１３がリテーナスリーブ３５８から結合解除され、ソケットコンタクト２１５がコンタクト３４４から結合解除され、ワイヤ２１０が貫通ポート３５６から引き出される（例えば、ツールを貫通ポート３５６内に挿入し、終端部２１１を把持して結合を解除することができる）。ソケットコンタクト２１５がコンタクト３４４から結合解除されると、デバイス２０４は、もはやワイヤ２１０に電気的又は通信可能に結合されず、これによりデバイス２０４（例えば、センサデバイス）及び／又はハーネス２０２（例えば、ワイヤ２１０）の現場での補修又は交換を良好に行うことが可能になる。上述のステップを好適に逆行させることにより、コネクタ組立体３００を所望の補修又は交換後に再組み立てすることができる。
【００２０】
本明細書で記載される方法及びシステムは、デバイスとワイヤを結合及び結合解除することを可能にする。本明細書で記載される方法及びシステムはまた、デバイスがワイヤから結合解除されたときに、補修又は交換のためワイヤ終端部を露出させることができる。本明細書で記載される方法及びシステムは更に、コネクタ組立体３００に関連する構成要素の数を低減し、これによりコネクタ組立体を製造するに用いる原材料を低減し且つコネクタ組立体のスペース及び重量を低減することができる。従って、本明細書で記載される方法及びシステムは、ワイヤと関連デバイスとの間の接合を簡素化し、システムの製造、設置、及び作動に関連するコストを低減することができる。
【００２１】
コネクタ組立体及びその製造方法に関する例示的な実施形態を上記で詳細に説明した。本方法及びシステムは、本明細書で記載される特定の実施形態に限定されるものではなく、むしろ本方法及びシステムの構成要素は、本明細書で記載した他の構成要素とは独立して別個に利用することができる。例えば、本明細書で記載される方法及びシステムは、他の産業及び／又は消費者向けの用途を有することができ、本明細書で記載されるガスタービンエンジンの電気ハーネスでの実施にのみ限定されるものではない。むしろ、上記の特定的特徴及び行為は、実施形態を実施する例示的な形態として開示されている。
【００２２】
種々の特定の実施形態について本発明を説明してきたが、請求項の技術的思想及び範囲内にある修正により本発明を実施することができる点は、当業者であれば理解されるであろう。
【符号の説明】
【００２３】
２００  システム
２０２  ハーネス
２０６  端部
２０４  デバイス
２０８  取付デバイス
２０９  電力又は通信源
２１０  ワイヤ
２１４  主セグメント
２１６  ブレイクアウトセグメント
【図１】
2013140794.tif 000003
【図２】
2013140794.tif 000004
【図３】
2013140794.tif 000005
【図４】
2013140794.tif 000006
【図５】
2013140794.tif 000007
【図６】
2013140794.tif 000008
【図７】
2013140794.tif 000009
【図８】
2013140794.tif 000010
【図９】
2013140794.tif 000011